(57)【要約】【課題】視覚障害者や視力の衰えた人でも、炊飯容量に対応した水位合わせが容易にできるようにする。【解決手段】炊飯器の内釜内部に着脱自在に挿入し、炊飯時の水位合わせを行う水位合わせ器具において、炊飯容量の各水位に対応した高さを有する階段状の段部５を有したプレート４を複数組み合わせ、さらに階段状の段部５を器具本体３の下面部７と平行になるように形成した炊飯器の水位合わせ器具。【選択図】　図１
2004024294.tif 000002
【特許請求の範囲】
【請求項１】
炊飯器（１）の内釜（２）内部に着脱自在に挿入し、炊飯時の水位合わせを行う水位合わせ器具において、炊飯容量の各水位に対応した高さを有する階段状の段部（５）を有したプレート（４）を複数組み合わせ、さらに階段状の段部（５）を器具本体（３）の下面部（７）と平行になるように形成したことを特徴とする炊飯器の水位合わせ器具。
【請求項２】
器具本体（３）の高さを、内釜（２）の深さよりも高く形成したことを特徴とする請求項１記載の炊飯器の水位合わせ器具。
【発明の詳細な説明】
【０００１】
【発明の属する技術分野】
本発明は、視覚障害者や視力が衰えた人が炊飯時に、触感で適正水量を調節できる炊飯器の水位合わせ器具に関するものである。
【０００２】
【従来の技術】
従来の、この種の炊飯器の水位合わせ器具として、例えば実開昭６３−１５０６５１号公報のように炊飯器のしゃもじに水位目盛を設け、このしゃもじを内釜内に挿入し、炊飯時の水位を適正に調節するものがある。
【０００３】
また、目の不自由な人にとっても使い勝手の良いものとして、特開平１０−１１３２８０号公報に示すように、内釜本体の内面に炊飯容量に対する適正水量を示す凹凸状の水位表示部を設けたものがあった。
【０００４】
【発明が解決しようとする課題】
通常の炊飯器における炊飯時の水位合わせは、内釜内部に設けてある水位線を見ながら水位調節を行うものであるが、非常に見え難く適正水位を得るのに時間がかかり、不正確となるおそれがあった。
【０００５】
また、前記従来例で示した前者のものは、少しは見やすくなり、水位調節がやり易くなるものの、目の不自由な人にとってはやはり適正水位を得るのは困難なものであった。さらにこの例の場合、しゃもじを内釜に挿入した際、しゃもじをそのまま内釜に入れっぱなしにされるおそれがあった。
【０００６】
さらにまた、前記の従来技術に示した後者の炊飯器の水位合わせは、炊飯容量に対する適正水量を、内釜本体内面に高さで示す凹凸状の刻印による水位表示部を設けたもので、各炊飯容量ごとに刻印の長さを変えることにより、視覚障害者が手の触感で、水位表示部を確認するものである。しかしながら、視覚障害者が手の触感で内釜本体内面に設けた凹凸状の水位表示部と水面を一致させるのに、判断が難しい問題があった。
【０００７】
本発明は上記問題点を解決しようとするものであり、視覚障害者や視力の衰えた人が、手の触感で容易に正確な水位を合わせることが可能な炊飯器の水位合わせ器具を提供することを目的とする。また、水位合わせ後、器具本体を内釜内から外し忘れても、炊飯前に外し忘れに気付くことができる水位合わせ器具を提供することを目的とするものである。
【０００８】
【課題を解決するための手段】
上記課題を解決するために本発明は、炊飯器の内釜内部に着脱自在に挿入し、炊飯時の水位合わせを行う水位合わせ器具において、炊飯容量の各水位に対応した高さを有する階段状の段部を有したプレートを複数組み合わせ、さらに階段状の段部を器具本体の下面部と平行になるように形成した炊飯器の水位合わせ器具としたものである。
【０００９】
また、器具本体の高さを、内釜の深さよりも高く形成するようにしたものである。
【００１０】
水位合わせ器具本体のプレートの形状を階段状の段部を有したものにし、各炊飯容量の水位に対応した階段状の段部をそれぞれ設け、さらにこのプレートを炊飯メニュー毎に複数放射状に組み合わせ、上記階段状の段部と器具本体の下面部とを平行な形状とすることにより、この水位合わせ器具本体を米や水を収容した内釜内に置いたときに、水面と水位合わせ器具本体の階段状の段部とが平行になるので、凹凸形状の水位部では手の触感で判断しづらかった水位合わせを、容易に正確に判断することが可能になるものである。
【００１１】
また、上記水位合わせ器具本体の高さを内釜内の深さより高い構成にすれば、水位合わせ後、器具本体を内釜内から取り出すのを忘れても、炊飯器のフタを閉めようとしたとき、フタ内面が器具本体上部にぶつかりフタを閉めることができない。よって、水位合わせ器具本体を誤って内釜の中に入れたまま、炊飯を行ってしまう問題を解消することができるものである。
【００１２】
【発明の実施の形態】
以下、本発明の一実施例を図面に基づいて詳細に説明する。
【００１３】
図１は本発明による炊飯器の水位合わせ器具の全体斜視図であり、図２は同器具を内釜に挿入した状態を示す断面図、図３は炊飯器の斜視図である。
【００１４】
図において、１は一般的な炊飯器であり、２は内釜である。この内釜２内に洗った米及び米の容量に対応した適量の水を入れて炊飯を行うものである。尚、内釜２には内面に刻印あるいは別の手段で水位合わせ用の表示部あるいは目盛が設けられているものである。
【００１５】
３は炊飯器１の内釜２内に挿入して水位を合わせるための器具本体で、その構成は以下の通りである。
【００１６】
４はプレートであり、各炊飯容量の水位に対応した高さを有する階段状の段部５を有しているものであり、メニュー毎に高さの異なる階段状の段部５を有する複数のプレート４を放射状に組み合わせて一体に形成している。各々のプレート４の上部にはメニューを示す点字又は凹凸形状６が設けられている。７はプレート４の下面部であり、水平で、かつ前記階段状の段部５と平行となるように形成されている。
【００１７】
また図２に示すように、器具本体３の下面部７は水平で内釜２の内底面に対して垂直に立つ形状で着脱自在に装着でき、器具本体３の高さは内釜２内部の深さより高くなるように形成されている。
【００１８】
次に上記の構成による本実施例の動作を説明する。
【００１９】
視覚障害者や視力の衰えた人が炊飯を行う場合、各メニューの各炊飯容量の水位に対応した水位合わせを行うのに、前記した従来技術にある炊飯容量に対する適正水量を凹凸状の水位表示部で設けたような水位合わせを行う方法があるが、手の触感で水面を凹凸状の水位表示部に調節するのには判断が非常に難しい問題があった。
【００２０】
本発明による炊飯器用の水位合わせ器具の使用手順は、米を洗った後、米と器具本体３を内釜２内に入れ、複数の放射状に組み合わされた各々のプレート４の上部に設けられた点字又は凹凸形状６により、手の触感でメニュー例えば白米炊飯を選択する。
【００２１】
メニュー選択後、そのメニューのプレート４自身に設けられた、各炊飯容量の水位に対応した階段状の段部５と水位が同じになるように、手の触感で炊飯容量の水位を調節する。
【００２２】
水位合わせ終了後、内釜２内より炊飯器の水位合わせ用の器具本体３を取り出し、フタを閉じ、炊飯を開始する。ここで、炊飯器の水位合わせ器具は内釜２内の深さより高く形成してあるので、取り出し忘れて炊飯器１のフタを閉めようとしても、水位合わせ器具本体３の上部がフタ内面にぶつかりフタを閉めることができないので、炊飯前に気付くことができるものである。
【００２３】
また、本実施例では段部５の長さを白米（Ｌ１）は長く、玄米（ｌ１）は短くのように、メニューによって変えているので、点字６によらなくても容易にメニューを識別できるようになっているものである。
【００２４】
【発明の効果】
本発明によれば、健常者はもとより、視覚障害者や視力の衰えた人でも炊飯時において、手の触感で各炊飯容量に対応した水位合わせが容易に、かつ正確な判断ができるものである。
【００２５】
また、水位合わせ後器具本体を取り出し忘れても、その形状により気付くことができ、誤って器具本体を入れたまま炊飯をしてしまう心配が解消されるものである。
【図面の簡単な説明】
【図１】本発明の一実施例を示す斜視図である。
【図２】同じく使用状態を示す断面図である。
【図３】一般的な炊飯器の斜視図である。
【符号の説明】
１：炊飯器
２：内釜
３：器具本体
４：プレート
５：階段状の段部
６：凹凸形状（点字）
７：下面部
【図１】
2004024294.tif 000003
【図２】
2004024294.tif 000004
【図３】
2004024294.tif 000005